(57)【特許請求の範囲】
【請求項１】
耳たぶを穿孔するためのピアス針と、
該ピアス針を抜き差し自在に内装するカバー体と、
該ピアス針を受け止めるためのキャッチと、
該キャッチを着脱自在に内装する本体とを備え、
カバー体を、本体に対して押し操作する前の初期姿勢からピアス針がキャッチに係止する操作後姿勢までスライド移動可能な状態で外嵌組み合わせすることで構成されるピアス孔穿孔器であって、
本体には、前記外嵌組み合わせした状態でカバー体内に内嵌する弾性変形可能な係止体が突出形成され、
カバー体には、カバー体の初期姿勢から操作後姿勢への変姿に対応して先端が係止体に摺動して係止体を次第に弾性変形させる突出片が設けられたものとし、
前記係止体には、カバー体の初期姿勢から操作後姿勢への変姿過程の途中で突出片の先端が当接して一旦停止する抵抗を与え、該抵抗を上回るカバー体の押し操作で突出片の先端が乗り越えて操作後姿勢に変姿させるための抵抗体が設けられていることを特徴とするピアス孔穿孔器。
【請求項２】
耳たぶを穿孔するためのピアス針と、
該ピアス針を抜き差し自在に内装するカバー体と、
該ピアス針を受け止めるためのキャッチと、
該キャッチを着脱自在に内装する本体とを備え、
カバー体を、本体に対して押し操作する前の初期姿勢からピアス針がキャッチに係止する操作後姿勢までスライド移動可能な状態で外嵌組み合わせすることで構成されるピアス孔穿孔器であって、
カバー体には、弾性変形可能な係止体がカバー体内部に突出形成され、
本体には、カバー体の初期姿勢から操作後姿勢への変姿に対応して先端が係止体に摺動して係止体を次第に弾性変形させる突出片が設けられたものとし、
前記係止体には、カバー体の初期姿勢から操作後姿勢への変姿過程の途中で突出片の先端が当接して一旦停止する抵抗を与え、該抵抗を上回るカバー体の押し操作で突出片の先端が乗り越えて操作後姿勢に変姿させるための抵抗体が設けられていることを特徴とするピアス孔穿孔器。
【発明の詳細な説明】
【技術分野】
【０００１】
本発明は、耳たぶ等の人体極所にピアス用の孔を開けるためのピアス孔穿孔器の技術分野に関するものである。
【背景技術】
【０００２】
一般に、この種のピアス孔穿孔器として、例えば耳たぶにピアスを装着しようとする場合に、弾機の付勢力を利用してピアス針を瞬間的に射出し、耳たぶに該ピアス針を貫通させてピアス孔を穿孔するようにしたものが知られている。
そしてこのようなものとして、ピアス針が装填される操作体と、ピアス針に着脱自在に係止されるキャッチが装填された本体とからなり、本体に移動自在に組込まれた操作体を、ピアス針を発射する前の発射前姿勢から弾機付勢力に抗するように強く握持することで発射後姿勢に変姿させてピアス針を発射させることで、ピアス孔を穿孔するようにしたものが知られている（例えば、特許文献１）。このものは、本体に抵抗部を設け、操作体を握持して抵抗部の抵抗を感じた段階で一旦停止できるように構成することで、ピアス針の不用意な発射を防ぐことができるものである。
【先行技術文献】
【特許文献】
【０００３】
【特許文献１】特公平７−３２７２６号公報
【発明の概要】
【発明が解決しようとする課題】
【０００４】
しかしながら、前記特許文献１のものは、穿孔器の不用意な変姿を抑制するための抵抗部と、ピアス針を発射した後に穿孔器を発射前姿勢に戻すために設けられる鰭状の復帰用反発手段とがそれぞれ別のものとして設けられているため、部品構成が複雑であるだけでなく、ピアス針を発射する際に抵抗部が根元から綺麗に切断されず、一部が残ってしまった場合、該残った部分が抵抗となって操作体の円滑な移動を妨げてピアス針の発射速度が落ちてしまい、綺麗に穿孔できないばかりか、大きな痛みを伴う惧れ、また逆に、切断された抵抗部が復帰しようとする穿孔器の邪魔をして上手く発射前姿勢に戻れない惧れがあるという問題があり、これらに本発明の解決すべき課題がある。
【課題を解決するための手段】
【０００５】
本発明は、上記の如き実情に鑑みこれらの課題を解決することを目的として創作されたものであって、請求項１の発明は、耳たぶを穿孔するためのピアス針と、該ピアス針を抜き差し自在に内装するカバー体と、該ピアス針を受け止めるためのキャッチと、該キャッチを着脱自在に内装する本体とを備え、カバー体を、本体に対して押し操作する前の初期姿勢からピアス針がキャッチに係止する操作後姿勢までスライド移動可能な状態で外嵌組み合わせすることで構成されるピアス孔穿孔器であって、本体には、前記外嵌組み合わせした状態でカバー体内に内嵌する弾性変形可能な係止体が突出形成され、カバー体には、カバー体の初期姿勢から操作後姿勢への変姿に対応して先端が係止体に摺動して係止体を次第に弾性変形させる突出片が設けられたものとし、前記係止体には、カバー体の初期姿勢から操作後姿勢への変姿過程の途中で突出片の先端が当接して一旦停止する抵抗を与え、該抵抗を上回るカバー体の押し操作で突出片の先端が乗り越えて操作後姿勢に変姿させるための抵抗体が設けられていることを特徴とするピアス孔穿孔器である。
請求項２の発明は、耳たぶを穿孔するためのピアス針と、該ピアス針を抜き差し自在に内装するカバー体と、該ピアス針を受け止めるためのキャッチと、該キャッチを着脱自在に内装する本体とを備え、カバー体を、本体に対して押し操作する前の初期姿勢からピアス針がキャッチに係止する操作後姿勢までスライド移動可能な状態で外嵌組み合わせすることで構成されるピアス孔穿孔器であって、カバー体には、弾性変形可能な係止体がカバー体内部に突出形成され、本体には、カバー体の初期姿勢から操作後姿勢への変姿に対応して先端が係止体に摺動して係止体を次第に弾性変形させる突出片が設けられたものとし、前記係止体には、カバー体の初期姿勢から操作後姿勢への変姿過程の途中で突出片の先端が当接して一旦停止する抵抗を与え、該抵抗を上回るカバー体の押し操作で突出片の先端が乗り越えて操作後姿勢に変姿させるための抵抗体が設けられていることを特徴とするピアス孔穿孔器である。
【発明の効果】
【０００６】
請求項１、２の発明とすることにより、簡単な構造でありながら、ピアス孔の穿孔精度が良く安全性の高いピアス孔穿孔器とすることができる。
【図面の簡単な説明】
【０００７】
【図１】第一の実施の形態のピアス孔穿孔器を示すものであって、（Ａ）は平面図、（Ｂ）は正面図、（Ｃ）は底面図、（Ｄ）は断面図である。
【図２】第一の実施の形態のカバー体を示すものであって、（Ａ）は平面図、（Ｂ）は側面図、（Ｃ）は正面図、（Ｄ）は側面図、（Ｅ）は底面図、（Ｆ）は断面図であり、（Ｇ）はピアス針と挟持具の斜視図である。
【図３】第一の実施の形態の本体を示すものであって、（Ａ）は平面図、（Ｂ）は正面図、（Ｃ）は側面図、（Ｄ）は底面図、（Ｅ）は断面図である。
【図４】（Ａ）〜（Ｄ）はそれぞれ、第一の実施の形態のピアス孔を開ける手順を示す断面図である。
【図５】（Ａ）〜（Ｄ）はそれぞれ、第二の実施の形態のピアス孔を開ける手順を示す説明図である。
【発明を実施するための形態】
【０００８】
次に、本発明の実施の形態について、図面に基づいて説明する。尚、本実施の形態を説明するに当たり、便宜上、図１（Ｂ）の上側を上、下側を下、右側を前、左側を後、手前側を右、奥側を左と方向性をつけて説明するが、方向性についてはこれに限定されないものであることはいうまでもない。
図面において、１はピアス孔穿孔器であって、該ピアス孔穿孔器１は、初期姿勢においてピアス針２が保持されるカバー体３と、発射されたピアス針２の先端部が嵌入し、ピアス針２を抜け止め保持するキャッチ４を保持する本体５とを備えて構成されている。
【０００９】
前記カバー体３は、上下左右面板３ａ、３ｂ、３ｃ、３ｄと、前面板３ｅとで囲繞形成され、後側は開口３ｆとなっていて、後述するように本体５をスライド状に内嵌組み込みすることができるように構成されている。
該開口３ｆの一端部側（図１（Ｄ）において上端部側）には、前記上面板３ａの前端近傍からカバー体３内部に向けて略Ｌ字状の仕切壁３ｇが形成され、該仕切壁３ｇで仕切られた空間が、二つの半割り部品６ａ、６ｂから成る挟持具６に挟持されるピアス針２を収容する収容室３ｈとなっており、該収容室３ｈに対応する上面板３ａの中央部位には、上側の半割り部品６ａの上面に設けられた凸部６ｃが嵌入するための切り欠き３ｉが形成されている。そして、前記開口３ｆのうち前記収容室３ｈより下側半部がスライド口３ｊとなっていて、カバー体３を前後にスライド移動させた場合に該スライド口３ｊが本体５に外嵌するようになっている。
さらに、下面板３ｂの後側半部には、後述する本体５を位置合わせするための切り欠き３ｋが形成されている。
また、左右両側面板３ｃ、３ｄの下半部には、カバー体３と本体５がブレることなくスライド移動できるようにスライド凹条３ｌが前後方向に形成されている。
さらにまた、前面板３ｅの上下方向略中央部位からは、後述する本体５の係止体７が係止する突出片３ｍが後方に向けて突出形成されている。
【００１０】
一方、本体５は、カバー体３を摺動案内するスライド部５ａが前端（図３（Ｂ）における右端）に備えられた基端部５ｂと前記キャッチ４を収容するための収容室５ｃを備えたキャッチ収容部５ｄが形成される起立状部５ｅとで略Ｌ字状に構成されている。
該スライド部５ａの左右両面からはスライド凸条５ｆが前後方向に形成されていて、該凸条５ｆがカバー体３のスライド凹条３ｌを摺動案内することで、カバー体３が本体５に対し、ピアス針２を発射する前の発射前姿勢からピアス針２を発射した後の発射後姿勢にスライド移動できるように構成されている。
さらに、スライド部５ａの下面側には凸部５ｇが設けられているが、該凸部５ｇがカバー体３の前記切り欠き３ｋに嵌入することで、カバー体３と本体５の抜け止めの役割を果たす共に、ピアス針２の発射前姿勢における位置合わせの役割も果たしている。
【００１１】
そして、スライド部５ａの前下端からは、前高後低状に傾斜した（本実施の形態においては約３０度ほど傾斜している。）板状の係止体７が一体的に延出形成されている。
係止体７の前端に近い中間位置には、下方に向けて抵抗部７ａが突出形成されていて、後述するように抵抗部７ａがカバー体３の突出片３ｍの先端（後端）に係止するように構成されている。
【００１２】
このようにして構成されるカバー体３は、カバー体３のスライド凹条３ｌの前端側を本体５のスライド凸条５ｆの前端側に摺動させながら本体５を内嵌組み合わせをすると、カバー体３の切り欠き３ｋに本体５下端に設けられる凸部５ｇを無理嵌め嵌入することでカバー体３と本体５との位置合わせ及び抜け止めがなされ、これによって、係止体７は前端部位が突出片３ｍの先端（後端）に当接して係止される状態でカバー体３と本体５とが一体化し、ピアス孔穿孔器１が形成される。因みに、係止体７は、突出片３ｍの先端に対して軽押圧した弾性変形状態で当接しており、これによって本体５は、カバー体３に対して切欠き３ｋ後端に突部５ｇが当接する操作前姿勢（初期姿勢）に保持され、ガタ付かない構成になっている。
【００１３】
次に、前記ピアス孔穿孔器１によって耳たぶＥにピアス孔を開ける手順について、図４を用いて説明する。
まず、図４（Ａ）に示すようにピアス孔穿孔器１を耳たぶＥにあてがい、キャッチ４が穿孔部位に位置するように調整し、本体５（キャッチ４）に耳たぶＥ裏面を当接させる。このときはピアス孔穿孔器１は前記初期姿勢となっている。
【００１４】
その後、図４（Ｂ）に示すように、カバー体３を後方（図４（Ｂ）における左方）に押し操作することで本体５に対してスライド移動させていくと、カバー体３の突出片３ｍの先端が係止体７を前側から後方に向けて摺動することとなって、係止体７は、徐々に弾性変形（傾斜変形及び円弧変形）が大きくなっていく。そして、突出片３ｍの先端が抵抗部７ａに当接すると仮係止状態となって、突出片３ｍの後方に向けての移動が一旦停止すると共に抵抗感が発生し、このときの姿勢が発射直前姿勢であり、この状態で耳たぶＥにピアス針２の先端が当接されることで、穿孔部位の最終確認及び微調整が行えるようになっている。
【００１５】
そして、図４（Ｃ）に示すように、前記発射直前姿勢にあるカバー体３を前記抵抗感に抗してさらに後方に向けて一気に押し操作すると、係止体７が前方上方に弾性変形して突出片３ｍが抵抗部７ａを乗り越えることになってカバー体３が瞬間的に後方に移動し、切欠き３ｋ前端に突部５ｇが当接する発射後姿勢（操作後姿勢）となる。この発射直前姿勢から発射後姿勢への瞬間的な変姿によってピアス針２が勢いよく発射された状態となって耳たぶＥ内を貫通して耳たぶＥにピアス孔Ｈを穿孔すると共に、ピアス針２先端はキャッチ４内に挿通係止され、これによってピアス針２の頭部とキャッチ４で耳たぶＥを挟持することになる。この発射後姿勢では、突出片３ｍは抵抗部７ａよりも後方側（本体５側）に当接することになって、係止体７は、更なる弾性変形をしていて初期姿勢側に戻ろうとする復帰付勢力が最大となっている。
【００１６】
このようにして穿孔作業が終わった後、図４（Ｄ）に示すように、カバー体３から該カバー体３を押し操作している指を離すと、カバー体３は、前記係止体７の復帰付勢力を受けることになって前方に向けて摺動するが、この移動によりピアス針２の頭部は、該頭部を挟持している挟持具６と共にカバー体３の収容室３ｈから抜け出ることになって耳たぶＥ側に残り、そして挟持具６が半割り状に割れることになって半割り部品６ａ、６ｂが脱落する一方、キャッチ４も、本体５を耳たぶＥから離間する方向に移動させることによって本体５の収容室５ｃから脱落することになって耳たぶＥにはピアス針２とキャッチ４だけが残るように構成されている。
【００１７】
叙述のごとく構成された本実施の形態において、カバー体３を、本体５に対して押し操作する前の初期姿勢からピアス針２がキャッチ４に係止する操作後姿勢までスライド移動可能な状態で外嵌組み合わせすることで構成されるピアス孔穿孔器１を、本体５に、前記外嵌組み合わせした状態でカバー体３内に内嵌する弾性変形可能な係止体７を突出形成し、カバー体３に、カバー体３の初期姿勢から操作後姿勢への変姿に対応して先端（後端）が係止体７に摺動し、該係止体７を次第に弾性変形させる突出片３ｍを設けると共に、前記係止体７に抵抗体７ａを設ける構成としたことで、部品点数が削減されるだけでなく、構造が簡単なものとなって、この種のピアス孔穿孔器のような使い捨ての器具において懸念される環境への配慮の要請を満たすことができる。
【００１８】
さらに、該抵抗体７ａは、カバー体３の初期姿勢から操作後姿勢への変姿過程の途中の発射直前姿勢で突出片３ｍの先端が当接して一旦停止する抵抗となるため、この発射直前姿勢において耳たぶＥへの穿孔位置の最終確認、微調整を行うことができ、正確な位置にピアス孔を穿孔することができる。
【００１９】
そして、カバー体３を、該発射直前姿勢から抵抗体７ａの前記抵抗を上回る力で一気に押し操作することで、突出片３ｍの先端が抵抗体７ａを瞬間的に乗り越えて操作後姿勢側に変姿させるように構成されているため、乗り越えた後に抵抗体７ａがカバー体３の移動を邪魔することがなく、この結果、ピアス針２はスムーズに耳たぶＥを貫通して瞬間的な穿孔ができることになって、痛みや衝撃を軽減できることはもちろん、ブレがない穿孔とすることができて綺麗なピアス孔Ｈが穿孔されるため、安全にピアス孔Ｈを穿孔でき、穿孔部位が化膿してしまう等の不都合が生じないようになっている。
しかも穿孔後、大きく弾性変形をした係止体７が弾性復帰するときの付勢力を受けてカバー体３が初期姿勢側に戻るときには、抵抗体７ａが突出片３ｍを初期姿勢側に押しやる方向に押圧するため、抵抗体７ａがカバー体３の初期姿勢側への移動を邪魔することがなく、円滑な復帰移動がなされることになる。
【００２０】
本発明は、前記第一の実施の形態に限定されないものであることは勿論であって、例えば、図５に示す第二の実施の形態のピアス孔穿孔器１１のように構成することもできる。
なお、前記第一の実施の形態と同じ構成のものについては同じ符号を付し、詳細な説明は省略する。
第二の実施の形態のピアス孔穿孔器１１は、挟持具６に挟持されるピアス針２を収容するカバー体１３とキャッチ４を収容する本体１５で構成される。
前記カバー体１３において、上下左右面板と前面板とで囲繞形成され、後側が開口していて、本体１５をスライド状に内嵌組み込みすることができるように構成されている点、仕切壁で仕切られた収容室に挟持具６に挟持されるピアス針２を収容する点、前記収容室の下半部にカバー体１３を前後にスライド移動できるよう切り欠き１３ｋ、スライド凹条１３ｌが形成されている点については、前記第一の実施の形態と同様である。
また、前記本体１５において、スライド部１５ａが備えられた基端部とキャッチ収容部を備えた起立状部とで略Ｌ字状に構成されている点、前記スライド部には前記スライド凹条１３ｌを摺動案内するスライド凸条が設けられている点、カバー体の切り欠き１３ｋに嵌入する凸部１５ｇが設けられている点については、前記第一の実施の形態と同様である。
さらに、カバー体１３のスライド凹条に本体５のスライド凸条を内嵌組み合わせし、カバー体の切り欠き１３ｋに嵌入する凸部１５ｇを無理嵌め嵌入することでカバー体１３と本体１５とが一体化してピアス孔穿孔器１１が構成される点についても、前記第一の実施の形態と同様である。
【００２１】
そして、本体１５のスライド部１５ａの前上端からは、前方に向けて突出片１５ｍが一体的に延出形成されている。
一方、板状の係止体１７は、カバー体１３の前下端本体１５側へ向けて前低後高状に傾斜した状態で、カバー体１３に一体的に形成されていて、該係止体１７の後端に近い中間位置には、下方に向けて抵抗部１７ａが突出形成されていて、該抵抗部１７ａが突出片１５ｍに係止するように構成されている。
【００２２】
このように構成されたカバー体１３と本体１５とを組み合わせて一体化すると、係止体１７は後端部位が突出片１５ｍの先端（前端）に摺動可能な状態で係止される。なお、係止体１７は突出片１５ｍの先端（前端）に対して軽押圧した弾性変形状態で当接し、初期姿勢においてガタつかないように構成されている点は前記第一の実施の形態と同様である。
【００２３】
次に、ピアス孔穿孔器１１によって耳たぶＥにピアス孔を開ける手順について、図５を用いて説明する。
まず、図５（Ａ）に示すようにピアス孔穿孔器１を耳たぶＥにあてがい、キャッチ４が穿孔部位に位置するように調整し、本体１５（キャッチ４）に耳たぶＥ裏面を当接させる。このときはピアス孔穿孔器１１は前記初期姿勢となっている。
【００２４】
その後、図５（Ｂ）に示すように、カバー体１３を後方（図５（Ｂ）における左方）に押し操作することで本体１５に対してスライド移動させていくと、本体１５の突出片１５ｍの先端（前端）が係止体１７を後側から前方に向けて摺動することとなって、係止体１７は、徐々に弾性変形（傾斜変形及び円弧変形）が大きくなっていく。そして、突出片１５ｍの先端が抵抗部１７ａに当接すると仮係止状態となって、突出片１５ｍの後方に向けての移動が一旦停止すると共に抵抗感が発生し、このときの姿勢が発射直前姿勢であり、この状態で耳たぶＥにピアス針２の先端が当接されることで、穿孔部位の最終確認及び微調整が行えるようになっている。
【００２５】
そして、図５（Ｃ）に示すように、前記発射直前姿勢にあるカバー体１３を前記抵抗感に抗してさらに後方に向けて一気に押し操作すると、係止体１７が前方上方に弾性変形して突出片１５ｍの先端（前端）が抵抗部１７ａを乗り越えることになってカバー体１３が瞬間的に後方に移動し、切欠き１３ｋ前端に突部１５ｇが当接する発射後姿勢（操作後姿勢）となる。この発射直前姿勢から発射後姿勢への瞬間的な変姿によってピアス針２が勢いよく発射された状態となって耳たぶＥ内を貫通して耳たぶＥにピアス孔Ｈを穿孔すると共に、ピアス針２先端はキャッチ４内に挿通係止され、これによってピアス針２の頭部とキャッチ４で耳たぶＥを挟持することになる。この発射後姿勢では、突出片１５ｍの先端は抵抗部１７ａよりも前方側に当接することになって、係止体１７は、更なる弾性変形をしていて初期姿勢側に戻ろうとする復帰付勢力が最大となっている。
【００２６】
このようにして穿孔作業が終わった後、図５（Ｄ）に示すように、カバー体１３から該カバー体１３を押し操作している指を離すと、カバー体１３は、前記係止体１７の復帰付勢力を受けることになって前方に向けて移動するが、この移動によりピアス針２の頭部は、該頭部を挟持している挟持具６と共にカバー体１３の収容室から抜け出ることになって耳たぶＥ側に残り、そして挟持具６が半割り状に割れることになって半割り部品６ａ、６ｂが脱落する一方、キャッチ４も、本体１５を耳たぶＥから離間する方向に移動させることによって本体１５の収容室から脱落することになって耳たぶＥにはピアス針２とキャッチ４だけが残るように構成されている。
【００２７】
第二の実施の形態のように構成することでも、簡単な構造のピアス孔穿孔器でありながら、瞬間的な穿孔をすることができて、精度が良く安全性の高いものとすることができる。
【産業上の利用可能性】
【００２８】
本発明は、耳たぶにピアス孔を穿孔するためのピアス孔穿孔器の分野に利用することができる。
【符号の説明】
【００２９】
１    ピアス孔穿孔器
２    ピアス針
３    カバー体
３ｍ  突出片
４    キャッチ
５    本体
７    係止体
【図１】
0005420027.tif 000002
【図２】
0005420027.tif 000003
【図３】
0005420027.tif 000004
【図４】
0005420027.tif 000005
【図５】
0005420027.tif 000006